(57)【要約】【課題】アクセス権限を配信装置側で設定することを可能とし、また、ユーザがフレーム文書に直接アクセスでき名用にすることを可能にする。【解決手段】本発明は、ユーザ端末からの表示情報の送信要求を受信し、受信した要求に応じて文書ＩＤ（ＵＲＬを暗号化したもの）、抽出部分、表示領域からなる表示情報を配信装置からユーザ端末に送る。ユーザ端末において、表示情報が抽出され、抽出されたものに対して、抽出された文書ＩＤを配信装置に送り、文書ＩＤからＵＲＬに変換されることにより、配信装置からＷＷＷ文書を受信し、当該ＷＷＷ文書から抽出部分を抽出し、指定の表示領域に表示する。【選択図】      図１
2004318504.tif 000002
【特許請求の範囲】
【請求項１】
複数のＷＷＷ文書について、該ＷＷＷ文書毎に予め指定された部分を集めて一つのウィンドウ上に一括して表示するためのＷＷＷ文書表示方法において、
ユーザ端末からの表示情報の送信要求を受信し、
前記要求に応じて、ＷＷＷ文書を特定する情報、該ＷＷＷ文書における必要情報の存在箇所、該必要情報を表示するユーザ端末のウィンドウ上の領域を含む表示情報を記憶手段から読み出して、該ユーザ端末に配信し、
前記ユーザ端末は、受信した前記表示情報からＷＷＷ文書を特定する情報を抽出し、前記配信装置にＷＷＷ文書を要求し、
前記配信装置は、前記ユーザ端末からの要求に応じて、前記表示情報に記述されたＷＷＷ文書をＷＷＷサーバにアクセスすることにより取得して、該ユーザ端末に配信し、
前記ユーザ端末は、前記配信装置から送信された前記ＷＷＷ文書から必要情報を抽出し、前記表示情報に含まれる必要情報を表示するウィンドウ上の領域に、該必要情報を表示することを特徴とするＷＷＷ文書表示方法。
【請求項２】
前記配信装置において、前記表示情報を送信する際に、
実際にＷＷＷ文書が存在するＵＲＬを暗号化して、前記ＷＷＷを特定する情報として前記ユーザ端末に配信し、
前記ユーザ端末からの要求に応じて、暗号化されている前記ＷＷＷ文書を特定する情報を復号化し、実際に該ＷＷＷ文書が存在するＵＲＬからＷＷＷ文書を取得して、該ユーザ端末に配信する請求項１記載のＷＷＷ文書表示方法。
【請求項３】
前記配信装置において、前記ユーザ端末から要求された情報を該ユーザ端末に配信するために、該ユーザ端末のユーザを識別するための識別符号を発行し、
前記ユーザ端末に発行した前記識別符号と、配信要求時に該ユーザ端末から送信される識別符号とを照合して、要求された情報の配信の可否を決定する請求項１または、２記載のＷＷＷ文書表示方法。
【請求項４】
複数のＷＷＷ文書について、該ＷＷＷ文書毎に予め指定された部分を集めて、ユーザ端末の一つのウィンドウ上に一括して表示するためのＷＷＷ文書表示システムであって、
ユーザ端末からの要求を受信し、該要求に応じて、ＷＷＷ文書を特定する情報、該ＷＷＷ文書における必要情報の存在箇所、該必要情報を表示する前記ユーザ端末のウィンドウ上の領域を含む表示情報を記憶手段から読み出して、該ユーザ端末に配信する表示情報配信手段と、
前記ユーザ端末からユーザが前記表示情報から選択したＷＷＷ文書を特定する情報を取得すると、該ＷＷＷ文書を特定する情報に基づいてＷＷＷサーバにアクセスすることによりＷＷＷ文書を取得して、該ユーザ端末に配信するＷＷＷ文書配信手段と、を有する配信装置を有し、
前記ユーザ端末は、
前記配信装置に対して、表示情報を要求する表示情報要求手段と、
前記配信装置から送信された表示情報からＷＷＷ文書を特定する情報を含む必要情報を抽出する情報抽出手段と、
抽出された前記ＷＷＷ文書を特定する情報を前記配信装置に送信することにより、ＷＷＷ文書を要求する文書要求手段と、
前記配信装置から送信されたＷＷＷ文書から必要情報を抽出し、前記表示情報に含まれる必要情報を表示するウィンドウ上の領域に、該必要情報を表示する必要情報表示手段と、を有することを特徴とするＷＷＷ文書表示システム。
【請求項５】
前記配信装置の前記表示情報配信手段は、
実際にＷＷＷ文書が存在するＵＲＬを暗号化して、前記ＷＷＷを特定する情報として前記ユーザ端末に配信する暗号化手段を含み、
前記ＷＷＷ文書配信手段は、
前記ユーザ端末からの要求に応じて、暗号化されている前記ＷＷＷ文書を特定する情報を復号化し、実際に該ＷＷＷ文書が存在するＵＲＬからＷＷＷ文書を取得して、該ユーザ端末に配信する復号化手段を含む請求項４記載のＷＷＷ文書表示システム。
【請求項６】
前記配信装置は、
前記ユーザ端末から要求された情報を該ユーザ端末に配信するために、該ユーザ端末のユーザを識別するための識別符号を発行する識別符号発行手段と、
前記ユーザ端末に発行した前記識別符号と、配信要求時に該ユーザ端末から送信される識別符号とを照合して、要求された情報の配信の可否を決定する認証手段と、を更に有する請求項４または、５記載のＷＷＷ文書表示システム。
【請求項７】
複数のＷＷＷ文書について、該ＷＷＷ文書毎に予め指定された部分を集めて、ユーザ端末の一つのウィンドウ上に一括して表示するためのシステムにおける配信装置であって、
前記ユーザ端末からの要求を受信し、該要求に応じて、ＷＷＷ文書を特定する情報、該ＷＷＷ文書における必要情報の存在箇所、該必要情報を表示する前記ユーザ端末のウィンドウ上の領域を含む表示情報を記憶手段から読み出して、該ユーザ端末に配信する表示情報配信手段と、
前記ユーザ端末からユーザが前記表示情報から選択したＷＷＷ文書を特定する情報を取得すると、該ＷＷＷ文書を特定する情報に基づいてＷＷＷサーバにアクセスすることによりＷＷＷ文書を取得して、該ユーザ端末に配信するＷＷＷ文書配信手段と、を有する配信装置を有することを特徴とする配信装置。
【請求項８】
前記表示情報配信手段は、
実際にＷＷＷ文書が存在するＵＲＬを暗号化して、前記ＷＷＷを特定する情報として前記ユーザ端末に配信する暗号化手段を含み、
前記ＷＷＷ文書配信手段は、
前記ユーザ端末からの要求に応じて、暗号化されている前記ＷＷＷ文書を特定する情報を復号化し、実際に該ＷＷＷ文書が存在するＵＲＬからＷＷＷ文書を取得して、該ユーザ端末に配信する復号化手段を含む請求項７記載の配信装置。
【請求項９】
前記ユーザ端末から要求された情報を該ユーザ端末に配信するために、該ユーザ端末のユーザを識別するための識別符号を発行する識別符号発行手段と、
前記ユーザ端末に発行した前記識別符号と、配信要求時に該ユーザ端末から送信される識別符号とを照合して、要求された情報の配信の可否を決定する認証手段と、を更に有する請求項７または、８記載の配信装置。
【請求項１０】
配信装置から送信される複数のＷＷＷ文書について、該ＷＷＷ文書毎に予め指定された部分を集めて、一つのウィンドウ上に一括して表示するユーザ端末であって、
前記配信装置に対して、表示情報を要求する表示情報要求手段と、
前記配信装置から送信された表示情報からＷＷＷ文書を特定する情報を含む必要情報を抽出する情報抽出手段と、
抽出された前記ＷＷＷ文書を特定する情報を前記配信装置に送信することにより、ＷＷＷ文書を要求する文書要求手段と、
前記配信装置から送信されたＷＷＷ文書から必要情報を抽出し、前記表示情報に含まれる該必要情報を表示するウィンドウ上の領域に、該必要情報を表示する必要情報表示手段と、を有することを特徴とするユーザ端末。
【請求項１１】
複数のＷＷＷ文書について、該ＷＷＷ文書毎に予め指定された部分を集めて、ユーザ端末の一つのウィンドウ上に一括して表示するためのシステムにおける配信装置で実行されるＷＷＷ文書表示プログラムであって、
前記ユーザ端末からの要求を受信し、該要求に応じて、ＷＷＷ文書を特定する情報、該ＷＷＷ文書における必要情報の存在箇所、該必要情報を表示する前記ユーザ端末のウィンドウ上の領域を含む表示情報を記憶手段から読み出して、該ユーザ端末に配信する表示情報配信ステップと、
前記ユーザ端末からユーザが前記表示情報から選択したＷＷＷ文書を特定する情報を取得すると、該ＷＷＷ文書を特定する情報に基づいてＷＷＷサーバにアクセスすることによりＷＷＷ文書を取得して、該ユーザ端末に配信するＷＷＷ文書配信ステップと、からなり、コンピュータに実行させることを特徴とするＷＷＷ文書表示プログラム。
【請求項１２】
前記表示情報配信ステップは、
実際にＷＷＷ文書が存在するＵＲＬを暗号化して、前記ＷＷＷを特定する情報として前記ユーザ端末に配信する暗号化ステップを含み、
前記ＷＷＷ文書配信ステップは、
前記ユーザ端末からの要求に応じて、暗号化されている前記ＷＷＷ文書を特定する情報を復号化し、実際に該ＷＷＷ文書が存在するＵＲＬからＷＷＷ文書を取得して、該ユーザ端末に配信する復号化ステップを含む請求項１１記載のＷＷＷ文書表示プログラム。
【請求項１３】
前記ユーザ端末から要求された情報を該ユーザ端末に配信するために、該ユーザ端末のユーザを識別するための識別符号を発行する識別符号発行ステップと、
前記ユーザ端末に発行した前記識別符号と、配信要求時に該ユーザ端末から送信される識別符号とを照合して、要求された情報の配信の可否を決定する認証ステップと、を更に有する請求項１１または、１２記載のＷＷＷ文書表示プログラム。
【請求項１４】
配信装置から送信される複数のＷＷＷ文書について、該ＷＷＷ文書毎に予め指定された部分を集めて、一つのウィンドウ上に一括して表示するユーザ端末に実行させるＷＷＷ文書表示プログラムであって、
前記配信装置に対して、表示情報を要求する表示情報要求ステップと、
前記配信装置から送信された表示情報からＷＷＷ文書を特定する情報を含む必要情報を抽出する情報抽出ステップと、
抽出された前記ＷＷＷ文書を特定する情報を前記配信装置に送信することにより、ＷＷＷ文書を要求する文書要求ステップと、
前記配信装置から送信されたＷＷＷ文書から必要情報を抽出し、前記表示情報に含まれる、該必要情報を表示するウィンドウ上の領域に、該必要情報を表示する必要情報表示ステップと、からなり、コンピュータに実行させることを特徴とするＷＷＷ文書表示プログラム。
【発明の詳細な説明】
【０００１】
【発明の属する技術分野】
本発明は、ＷＷＷ（Ｗｏｒｌｄ  Ｗｉｄｅ  Ｗｅｂ）文書表示方法及びシステム及び配信装置及びユーザ端末及びＷＷＷ文書表示プログラムに係り、特に、複数のＷＷＷ文書について、ＷＷＷ文書毎に予め指定された部分を集めて一つのウィンドウに一括して表示するためのＷＷＷ文書表示方法及びシステム及び配信装置及びユーザ端末及びＷＷＷ文書表示プログラムに関する。
【０００２】
【従来の技術】
インターネット上に分散して存在するＷＷＷ文書を一つの画面で閲覧するためにＨＴＭＬタグである＜ｆｒａｍｅｓｅｔ＞タグと＜ｆｒａｍｅ＞、または、＜ｉｆｒａｍｅ＞タグを用いてＷＷＷ文書を作成することができる（例えば、非特許文献１参照）。
【０００３】
親となるＷＷＷ文書（親文書）に記述された＜ｆｒａｍｅ＞（または、＜ｉｆｒａｍｅ＞）タグのｓｒｃ属性に指定したＵＲＬに存在するＷＷＷ文書（以下、フレーム文書という）が、＜ｆｒａｍｅｓｅｔ＞（または、＜ｉｆｒａｍｅ＞）タグで指定された領域（以下、フレーム領域という）に表示される。
【０００４】
【非特許文献１】
「ＨＴＭＬ第３版」Ｃ．Ｍｕｓｃｉａｎｏ，  Ｂ．Ｋｅｎｎｅｄｙ共著、田辺茂也監訳、渡辺知夫、大西照代、オライリージャパン（１９９９）
【０００５】
【発明が解決しようとする課題】
しかしながら、上記従来のＨＴＭＬタグでは、フレーム領域にフレーム文書の全体が表示されるため、フレーム文書として表示されることを前提にして予め親文書を用意しておく必要がある。
【０００６】
従来の技術によって既存のＷＷＷ文書をフレーム文書として再利用する場合、フレーム文書としての利用の形態（抽出の有無等）にかかわらず、元のＷＷＷ文書と同じアクセス権が設定されることになる。この場合、複数の無料のＷＷＷ文書について抽出や再構成を行うことで付加価値を与え、有料提供等を実施する場合に登録された正規ユーザのみにアクセスを限定するなどの適切なアクセス制限をすることができない。
【０００７】
従来技術では、さらに親文書にフレーム文書のＵＲＬが記述されているため、親文書を通して閲覧されるべきフレーム文書を、このＵＲＬに直接アクセスすることで直接閲覧することができてしまう。
【０００８】
本発明は、上記の点に鑑みなされたもので、アクセス制限を配信装置側で設定することを可能とし、また、ユーザがフレーム文書に直接アクセスできないようにすることが可能なＷＷＷ文書表示方法及びシステム及び配信装置及びユーザ端末及びＷＷＷ文書表示プログラムを提供することを目的とする。
【０００９】
【課題を解決するための手段】
図１は、本発明の原理を説明するための図である。
【００１０】
本発明は、複数のＷＷＷ文書について、該ＷＷＷ文書毎に予め指定された部分を集めて一つのウィンドウ上に一括して表示するためのＷＷＷ文書表示方法において、
ユーザ端末からの表示情報の送信要求を受信し（ステップ１）、
要求に応じて、ＷＷＷ文書を特定する情報、該ＷＷＷ文書における必要情報の存在箇所、該必要情報を表示するユーザ端末のウィンドウ上の領域を含む表示情報を記憶手段から読み出して、該ユーザ端末に配信し（ステップ２）、
ユーザ端末は、受信した表示情報からＷＷＷ文書を特定する情報を抽出し（ステップ３）、配信装置にＷＷＷ文書を要求し（ステップ４）、
配信装置は、ユーザ端末からの要求に応じて、表示情報に記述されたＷＷＷ文書をＷＷＷサーバにアクセスすることにより取得して（ステップ５）、該ユーザ端末に配信し（ステップ６）、
ユーザ端末は、配信装置から送信されたＷＷＷ文書から必要情報を抽出し（ステップ７）、表示情報に含まれる必要情報を表示するウィンドウ上の領域に、該必要情報を表示する（ステップ８）。
【００１１】
また、本発明のＷＷＷ文書表示方法は、配信装置において、実際にＷＷＷ文書が存在するＵＲＬを暗号化して、ＷＷＷを特定する情報としてユーザ端末に配信し、
ユーザ端末からの要求に応じて、暗号化されているＷＷＷ文書を特定する情報を復号化し、実際に該ＷＷＷ文書が存在するＵＲＬからＷＷＷ文書を取得して、該ユーザ端末に配信する。
【００１２】
また、本発明のＷＷＷ文書表示方法は、配信装置において、ユーザ端末から要求された情報を該ユーザ端末に配信するために、該ユーザ端末のユーザを識別するための識別符号を発行し、
ユーザ端末に発行した識別符号と、配信要求時に該ユーザ端末から送信される識別符号とを照合して、要求された情報の配信の可否を決定する。
【００１３】
図２は、本発明の原理を説明するための図である。
【００１４】
本発明は、複数のＷＷＷ文書について、該ＷＷＷ文書毎に予め指定された部分を集めて、ユーザ端末２００の一つのウィンドウ上に一括して表示するためのＷＷＷ文書表示システムであって、
ユーザ端末２００からの要求を受信し、該要求に応じて、ＷＷＷ文書を特定する情報、該ＷＷＷ文書における必要情報の存在箇所、該必要情報を表示するユーザ端末のウィンドウ上の領域を含む表示情報を記憶手段から読み出して、該ユーザ端末２００に配信する表示情報配信手段１１０と、
ユーザ端末２００からユーザが表示情報から選択したＷＷＷ文書を特定する情報を取得すると、該ＷＷＷ文書を特定する情報に基づいてＷＷＷサーバにアクセスすることにより、ＷＷＷ文書を取得して、該ユーザ端末２００に配信するＷＷＷ文書配信手段１２０と、を有する配信装置１００を有し、
ユーザ端末２００は、
配信装置１００に対して、表示情報を要求する表示情報要求手段２１０と、
配信装置１００から送信された表示情報からＷＷＷ文書を特定する情報を含む必要情報を抽出する情報抽出手段２２０と、
抽出されたＷＷＷ文書を特定する情報を配信装置１００に送信することにより、ＷＷＷ文書を要求する文書要求手段２３０と、
配信装置１００から送信されたＷＷＷ文書から必要情報を抽出し、表示情報に含まれる、該必要情報を表示するウィンドウ上の領域に、該必要情報を表示する必要情報表示手段２４０と、を有する。
【００１５】
また、本発明の配信装置１００の表示情報配信手段１１０は、
実際にＷＷＷ文書が存在するＵＲＬを暗号化して、ＷＷＷを特定する情報としてユーザ端末２００に配信する暗号化手段を含み、
ＷＷＷ文書配信手段１２０は、
ユーザ端末２００からの要求に応じて、暗号化されているＷＷＷ文書を特定する情報を復号化し、実際に該ＷＷＷ文書が存在するＵＲＬからＷＷＷ文書を取得して、該ユーザ端末に配信する復号化手段を含む。
【００１６】
また、本発明の配信装置１００は、
ユーザ端末２００から要求された情報を該ユーザ端末に配信するために、該ユーザ端末のユーザを識別するための識別符号を発行する識別符号発行手段と、
ユーザ端末２００に発行した識別符号と、配信要求時に該ユーザ端末から送信される識別符号とを照合して、要求された情報の配信の可否を決定する認証手段と、を更に有する。
【００１７】
本発明は、複数のＷＷＷ文書について、該ＷＷＷ文書毎に予め指定された部分を集めて、ユーザ端末の一つのウィンドウ上に一括して表示するためのシステムにおける配信装置であって、
ユーザ端末からの要求を受信し、該要求に応じて、ＷＷＷ文書を特定する情報、該ＷＷＷ文書における必要情報の存在箇所、該必要情報を表示するユーザ端末のウィンドウ上の領域を含む表示情報を記憶手段から読み出して、該ユーザ端末に配信する表示情報配信手段と、
ユーザ端末が表示情報から選択したＷＷＷ文書を特定する情報を取得すると、該ＷＷＷ文書を特定する情報に基づいて、ＷＷＷサーバにアクセスし、ＷＷＷ文書を取得して、該ユーザ端末に配信するＷＷＷ文書配信手段と、を有する配信装置を有する。
【００１８】
また、本発明の配信装置の表示情報配信手段は、
実際にＷＷＷ文書が存在するＵＲＬを暗号化して、ＷＷＷを特定する情報としてユーザ端末に配信する暗号化手段を含み、
ＷＷＷ文書配信手段は、
ユーザ端末からの要求に応じて、暗号化されたＷＷＷ文書を特定する情報を復号化し、実際に該ＷＷＷ文書が存在するＵＲＬからＷＷＷ文書を取得して、該ユーザ端末に配信する復号化手段を含む。
【００１９】
また、本発明の配信装置は、ユーザ端末から要求された情報を該ユーザ端末に配信するために、該ユーザ端末のユーザを識別するための識別符号を発行する識別符号発行手段と、
ユーザ端末に発行した識別符号と、配信要求時に該ユーザ端末から送信される識別符号とを照合して、要求された情報の配信の可否を決定する認証手段と、を更に有する。
【００２０】
本発明は、配信装置から送信される複数のＷＷＷ文書について、該ＷＷＷ文書毎に予め指定された部分を集めて、一つのウィンドウ上に一括して表示するユーザ端末であって、
配信装置に対して、表示情報を要求する表示情報要求手段と、
配信装置から送信された表示情報からＷＷＷ文書を特定する情報を含む必要情報を抽出する情報抽出手段と、
抽出されたＷＷＷ文書を特定する情報を配信装置に送信することにより、ＷＷＷ文書を要求する文書要求手段と、
配信装置から送信されたＷＷＷ文書から必要情報を抽出し、表示情報に含まれる、該必要情報を表示するウィンドウ上の領域に該必要情報を表示する必要情報表示手段と、を有する。
【００２１】
本発明は、複数のＷＷＷ文書について、該ＷＷＷ文書毎に予め指定された部分を集めて、ユーザ端末の一つのウィンドウ上に一括して表示するためのシステムにおける配信装置で実行されるＷＷＷ文書表示プログラムであって、
ユーザ端末からの要求を受信し、該要求に応じて、ＷＷＷ文書を特定する情報、該ＷＷＷ文書における必要情報の存在箇所、該必要情報を表示するユーザ端末のウィンドウ上の領域を含む表示情報を記憶手段から読み出して、該ユーザ端末に配信する表示情報配信ステップと、
ユーザ端末が表示情報から選択したＷＷＷ文書を特定する情報を取得すると、該ＷＷＷ文書を特定する情報に基づいて、ＷＷＷサーバにアクセスしてＷＷＷ文書を取得して、該ユーザ端末に配信するＷＷＷ文書配信ステップと、からなり、コンピュータに実行させる。
【００２２】
本発明のＷＷＷ文書表示プログラムの表示情報配信ステップは、
実際にＷＷＷ文書が存在するＵＲＬを暗号化して、ＷＷＷを特定する情報としてユーザ端末に配信する暗号化ステップを含み、
ＷＷＷ文書配信ステップは、
ユーザ端末からの要求に応じて、暗号化されたＷＷＷ文書を特定する情報を復号化し、実際に該ＷＷＷ文書が存在するＵＲＬからＷＷＷ文書を取得して、該ユーザ端末に配信する復号化ステップを含む。
【００２３】
本発明のＷＷＷ文書表示プログラムは、ユーザ端末から要求された情報を該ユーザ端末に配信するために、該ユーザ端末のユーザを識別するための識別符号を発行する識別符号発行ステップと、
ユーザ端末に発行した識別符号と、配信要求時に該ユーザ端末から送信される識別符号とを照合して、要求された情報の配信の可否を決定する認証ステップと、を更に有する。
【００２４】
本発明は、配信装置から送信される複数のＷＷＷ文書について、該ＷＷＷ文書毎に予め指定された部分を集めて、一つのウィンドウ上に一括して表示するユーザ端末に実行させるＷＷＷ文書表示プログラムであって、
配信装置に対して、表示情報を要求する表示情報要求ステップと、
配信装置から送信された表示情報からＷＷＷ文書を特定する情報を含む必要情報を抽出する情報抽出ステップと、
抽出されたＷＷＷ文書を特定する情報を配信装置に送信することにより、ＷＷＷ文書を要求する文書要求ステップと、
配信装置から送信されたＷＷＷ文書から必要情報を抽出し、表示情報に含まれる、該必要情報を表示するウィンドウ上の領域に該必要情報を表示する必要情報表示ステップと、からなり、コンピュータに実行させる。
【００２５】
上記のように、本発明では、フレーム文書を、外部の配信装置で中継した上でユーザ端末に配信することにより、アクセス制限を配信装置側で設定できるようにする。
【００２６】
また、親となるＷＷＷ文書には、フレーム文書のＵＲＬを直接記述せずに、これを暗号化して記述し、配信装置側でこれを復号化して本来のＵＲＬからフレーム文書を取得し、これをユーザ端末へ配信することで、ユーザがフレーム文書に直接アクセスできないようにする。
【００２７】
【発明の実施の形態】
以下、図面と共に本発明の実施の形態を説明する。
【００２８】
図３は、本発明の一実施の形態における基本システム構成図である。
【００２９】
同図に示すシステムは、配信装置１００、ユーザ端末２００及びＷＷＷサーバ１０から構成される。
【００３０】
配信端末１００は、要求受信部１０１、ユーザＩＤ／パスワード発行部１０２、認証部１０３、暗号化部１０５を含む表示情報取得部１０４、文書ＩＤ／ＵＲＬ変換部１０７と復号化部１０８を含むＷＷＷ文書取得部１０６、情報配信部１０９、認証情報ＤＢ１１１、表示情報ＤＢ１１２及び文書ＩＤ／ＵＲＬ変換テーブル１１３から構成される。
【００３１】
要求受信部１０１は、ユーザ端末２００からの表示情報送信要求や、ＷＷＷ文書要求を受信する。
【００３２】
ユーザＩＤ／パスワード発行部１０２は、認証のためのユーザＩＤ及びパスワードを発行し、情報配信部１０８を介してユーザ端末２００に提供すると共に、認証情報ＤＢ１１１に登録する。
【００３３】
認証部１０３は、ユーザ端末２００から送信されたユーザＩＤ、パスワードを認証情報ＤＢ１１１に登録されている情報と照合することにより、認証を行い、その結果を、表示情報取得部１０４及びＷＷＷ文書取得部１０６に通知する。
【００３４】
表示情報取得部１０４は、認証部１０３で認証が成功した場合に、要求受信部１０１において取得した表示情報要求に基づいて、ＷＷＷ文書を特定する情報（文書ＩＤ）、ＷＷＷ文書の必要情報の存在箇所（ＵＲＬ）、必要情報を表示するユーザ端末２００のウィンドウ上の指定領域からなる表示情報を表示情報ＤＢ１１１から検索して情報配信部１０９に渡す。
【００３５】
また、表示情報取得部１０４は、暗号化部１０５を有し、ＷＷＷ文書が存在するＵＲＬを暗号化して文書ＩＤとし、表示情報に含めて情報配信部１０８に渡すことも可能である。
【００３６】
ＷＷＷ文書取得部１０６は、文書ＩＤ／ＵＲＬ変換部１０７を有し、認証部１０３で認証が成功した場合に、要求受信部１０１において取得したＷＷＷ文書要求に含まれる文書ＩＤに基づいて、Ｂ文書ＩＤ／ＵＲＬ変換テーブル１１３を参照し、ＵＲＬに変換し、変換されたＵＲＬに基づいてＷＷＷサーバ１０にアクセスし、当該文書ＩＤに対応するＷＷＷ文書を取得する。
【００３７】
また、ＷＷＷ文書取得部１０６は、復号化部１０７を有し、ＷＷＷ文書要求に含まれる、ＵＲＬが暗号化された文書ＩＤを復号化して、ＵＲＬを取得し、ＷＷＷサーバ１０にアクセスすることも可能である。
【００３８】
情報配信部１０９は、ユーザＩＤ／パスワード、表示情報取得部１０４から渡された表示情報、及び、ＷＷＷ文書取得部１０６から渡されたＷＷＷ文書をユーザ端末２００に送信する。
【００３９】
認証情報ＤＢ１１１は、ユーザＩＤ，パスワード、当該利用者が利用可能な文書ＩＤからなる認証情報が格納されており、認証部１０３から参照される。
【００４０】
表示情報ＤＢ１１２は、文書ＩＤ、部分特定情報及びウィンドウ上の表示領域からなる表示情報が格納されており、表示情報取得部１０４から参照される。
【００４１】
文書ＩＤ／ＵＲＬ変換テーブル１１３は、文書ＩＤに対応するＵＲＬから構成される情報が格納されており、文書ＩＤ／ＵＲＬ変換部１０７から参照される。
【００４２】
ユーザ端末２００は、要求送信部２１１、情報抽出部２２１、表示部２４０、入力部２５０から構成される。
【００４３】
入力部２５０は、ユーザＩＤ及びパスワードを入力すると共に、表示部２４０に表示された表示情報から必要情報を選択するものであり、キーボードやポインティングデバイスから構成される。
【００４４】
要求送信部２１１は、配信装置１００に対して表示情報及び、ＷＷＷ文書を取得するための要求を送信する。
【００４５】
情報抽出部２２１は、配信装置１００から表示情報を受信すると、当該表示情報から文書ＩＤ、部分特定情報、表示領域を一組とする情報を抽出する。また、ＷＷＷ文書情報を受信すると、当該ＷＷＷ文書に含まれている表示情報に記載されている抽出すべき部分（部分特定情報、表示領域）を抽出し、表示部２４０に出力する。
【００４６】
表示部２４０は、ディスプレイ等の表示手段であり、情報抽出部２２１で抽出された情報が、指定された表示領域に表示される。
【００４７】
ＷＷＷサーバ１０は、指定したＵＲＬに対するＷＷＷ文書を配信する通常のＷＷＷサーバである。
【００４８】
図４は、本発明の一実施の形態におけるシステム構成を示す。同図に示すシステム構成は、前述の図３に示した配信装置１００の構成のうち、認証部１０３、認証情報ＤＢ１１１、ユーザＩＤ／パスワード発行部１０２、表示情報ＤＢ５０、文書ＩＤ／ＵＲＬ変換部１０７、文書ＩＤ／ＵＲＬ変換テーブル１１３を配信装置１００の外部に設けた例である。
【００４９】
図４に示すシステムは、ＷＷＷサーバ１０、配信装置１００、ユーザ端末２００、認証装置２０、認証情報ＤＢ３０、ＩＤ／パスワード発行装置４０、表示情報ＤＢ５０、文書ＩＤ／ＵＲＬ変換装置６０、文書ＩＤ／ＵＲＬ変換テーブル７０から構成される。
【００５０】
図５は、本発明の一実施の形態における動作を説明するための図である。
【００５１】
以下、図５に従って説明するが、図５中の丸内の数字と、図４に示す丸内の数字は対応している。
【００５２】
配信装置１００には、予め図４に示すように、認証を行うための認証装置２０、及び、各ユーザ毎の表示情報が蓄積されている表示情報ＤＢ５０が接続されている。また、認証装置２０には、認証情報が格納されている認証情報ＤＢ３０が接続されている。
【００５３】
ここで、図６に、認証情報ＤＢ３０に格納されている認証情報の例を示す。認証情報には、各ユーザを識別するためのユーザＩＤと、パスワード及び、各ユーザが利用可能なＷＷＷ文書のＩＤが記述されている。
【００５４】
また、配信装置１００に接続される表示情報ＤＢ５０には、図７に示すように、表示情報として、表示すべきＷＷＷ文書のＵＲＬを暗号化した文書ＩＤ、このＷＷＷ文書から抽出すべき部分を特定する情報（以下、部分特定情報と記す）、及び、ウィンドウ上で抽出した部分を表示すべき領域が記載されている。なお、当該表示情報は、ユーザ単位に存在する。
【００５５】
図７に示す表示情報をもとにして、取得したＷＷＷ文書の指定部分が抽出され、図８に示すようにレイアウトされてユーザ端末２００上のブラウザウィンドウ上に表示される。
【００５６】
なお、部分特定情報は、例えば、「Ｗｅｂ  Ｉｎｔｅｒｆａｃｅ  Ｌａｎｇｕａｇｅ  （ＷＩＤＬ）」，  ＜ｈｔｔｐ：／／ｗｗｗ．ｗ３．ｏｒｇ／ＴＲ／ＮＯＴＥ−ｗｉｄｌ．ｈｔｍｌ＞によることができる。図７の部分特定情報は、当該文献に従ったものである。
【００５７】
以下に、一連の動作を説明する。以下に示す（  ）内の数字と図４、図５の丸内の数字と対応する。
【００５８】
（１）  ユーザ端末２００は、まず、配信装置１００に対して表示情報をリクエストする。ユーザ端末２００からリクエストする際には、キーボード等の入力手段からユーザＩＤとパスワードを入力し、配信装置１００に送信する。
【００５９】
（２）  配信装置１００は、ユーザ端末２００からリクエストを受信し、受信したユーザＩＤとパスワードを認証装置４０に送り、認証装置４０は、認証情報ＤＢ３０に登録されている認証情報と照合し、一致すれば認証成功を配信装置１００に返す。このとき、認証装置４０は、利用可能文書ＩＤを配信装置１００に通知する。
【００６０】
（３）  配信装置１００は、認証が成功すると、認証装置４０から渡された、ユーザが利用可能な文書ＩＤに基づいて、表示情報ＤＢ５０を検索し、当該文書ＩＤに対応する表示情報を取得してユーザ端末２００に送信する。なお、この際、表示情報に含まれる文書ＩＤを暗号化して送信するようにしてもよい。
【００６１】
（４）  ユーザ端末２００は、配信装置１００から表示情報を受信する。
（５）  ユーザ端末２００は、受信した表示情報を構成している、文書ＩＤ、部分特定情報、表示領域を一組とする情報を抽出する。抽出された情報毎に以降の処理を実行する。
【００６２】
（６）  まず、ＷＷＷ文書の文書ＩＤを配信装置１００にリクエストする。この際、文書ＩＤに加えて、ユーザＩＤ及び、パスワードを配信装置１００に送信する。
【００６３】
（７）  配信装置１００は、ユーザ端末２００から受信したユーザＩＤ及びパスワードを、認証装置２０に送信し、認証装置２０において、当該ユーザＩＤとパスワードが認証情報ＤＢ３０に登録されているものと一致することを確認する。
【００６４】
（８）  次に、認証装置２０において、文書ＩＤを用いて文書ＩＤが、当該ユーザが利用可能なものとして認証情報ＤＢ３０に登録されていることを確認し、配信装置１００に認証結果を返す。
【００６５】
（９）  配信装置１００は、認証されたユーザから受信した文書ＩＤを文書ＩＤ／ＵＲＬ変換装置６０に転送し、当該文書ＩＤ／ＵＲＬ変換装置６０において、文書ＩＤ／ＵＲＬ変換テーブル７０を参照して、文書ＩＤに対応するＵＲＬに変換し、配信装置１００に返却する。文書ＩＤをＵＲＬに変換する際に使用される文書ＩＤ／ＵＲＬ変換テーブル７０の例を図９に示す。なお、ユーザ端末２００から受信した文書ＩＤが、暗号化されたものである場合には、当該文書ＩＤを復号化する。
（１０）  これにより、配信装置１００は、変換されたＵＲＬに基づいて、当該ＵＲＬに対応するＷＷＷサーバ１０にＷＷＷ文書をリクエストする。
【００６６】
（１１）  ＷＷＷサーバ１０は、ＷＷＷ文書を配信装置１００に送信する。
【００６７】
（１２）  配信装置１００は、ＷＷＷサーバ１０からＷＷＷ文書を受信する。
【００６８】
（１３）  受信したＷＷＷ文書は、ユーザ端末２００に転送される。
【００６９】
（１４）  ユーザ端末２００では、ＷＷＷ文書を受信する。
【００７０】
（１５）  ＷＷＷ文書から表示情報に記載されている抽出すべき部分を抽出する。
【００７１】
（１６）ＷＷＷ文書から抽出した部分を表示情報に記載されているディスプレイ等の表示手段の表示領域に、例えば、図８に示すように表示する。
【００７２】
（１７）  以上の操作を表示情報から抽出された各組の情報毎に実行する。つまり、図７の表示情報の各行について、上記の（６）〜（１７）の処理を繰り返し行う。
【００７３】
また、上記の配信装置１００における、（２）、（３）、（７）、（８）、（９）、（１０）、（１２）、（１３）の動作をプログラムとして構築し、配信装置として利用されるコンピュータのＣＰＵ等の制御手段に実行させる、または、ネットワークを介して流通させることが可能である。
【００７４】
また、構築されたプログラムを配信装置として利用されるコンピュータに接続されるハードディスク装置や、フレキシブルディスク、ＣＤ−ＲＯＭ等の可搬記憶媒体に格納しておき、実行時に、コンピュータにインストールするようにしてもよい。
【００７５】
また、上記のユーザ端末２００における、（１）、（４）、（５）、（６）、（１４）、（１５）、（１６）の動作をプログラムとして構築し、ユーザ端末置として利用されるコンピュータのＣＰＵ等の制御手段に実行させる、または、ネットワークを介して流通させることが可能である。
【００７６】
また、構築されたプログラムをユーザ端末として利用されるコンピュータに接続されるハードディスク装置や、フレキシブルディスク、ＣＤ−ＲＯＭ等の可搬記憶媒体に格納しておき、実行時に、コンピュータにインストールするようにしてもよい。
【００７７】
なお、本発明は、上記の実施の形態に限定されることなく、特許請求の範囲内において、種々変更・応用が可能である。
【００７８】
【発明の効果】
上述のように、本発明によれば、複数のＷＷＷ文書について抽出や再構築を行うことで付加価値を与え、有料提供等を実施する場合に、登録された正規のユーザのみにアクセスを限定する等のアクセス制限を適切に実施することができる。
【００７９】
また、既存のＷＷＷ文書をフレーム文書として利用する場合においても、親文書にフレーム文書のＵＲＬが記載されておらず、従って、フレーム文書のＵＲＬに直接アクセスすることができないため、不正な閲覧を抑止することができる。
【００８０】
【図面の簡単な説明】
【図１】本発明の原理を説明するための図である。
【図２】本発明の原理構成図である。
【図３】本発明の一実施の形態における基本システム構成図である。
【図４】本発明の一実施の形態におけるシステム構成図である。
【図５】本発明の一実施の形態における一連の動作を説明するための図である。
【図６】本発明の一実施の形態における認証情報ＤＢの認証情報の例である。
【図７】本発明の一実施の形態における表示情報ＤＢの表示情報の例である。
【図８】本発明の一実施の形態における表示情報に基づく表示例である。
【図９】本発明の一実施の形態における文書ＩＤ／ＵＲＬ変換テーブルの例である。
【符号の説明】
１０  ＷＷＷサーバ
２０  認証装置
３０  認証情報ＤＢ
４０  ＩＤ／パスワード発行装置
５０  表示情報ＤＢ
６０  文書ＩＤ／ＵＲＬ変換装置
７０  文書ＩＤ／ＵＲＬ変換テーブル
１００  配信装置
１０１  要求受信部
１０２  ユーザＩＤ／パスワード発行部
１０３  認証部
１０４  表示情報取得部
１０５  暗号化部
１０６  ＷＷＷ文書取得部
１０７  文書ＩＤ／ＵＲＬ変換部
１０８  復号部
１０９  情報配信部
１１０  表示情報配信手段
１１１  認証情報ＤＢ
１１２  表示情報ＤＢ
１１３  文書ＩＤ／ＵＲＬ変換テーブル
１２０  ＷＷＷ文書配信手段
２００  ユーザ端末
２１０  表示情報要求手段
２１１  要求送信部
２２０  文書要求手段
２２１  情報抽出部
２３０  必要情報表示手段
２４０  表示部
２５０  入力部
【図１】
2004318504.tif 000003
【図２】
2004318504.tif 000004
【図３】
2004318504.tif 000005
【図４】
2004318504.tif 000006
【図５】
2004318504.tif 000007
【図６】
2004318504.tif 000008
【図７】
2004318504.tif 000009
【図８】
2004318504.tif 000010
【図９】
2004318504.tif 000011